(57)【要約】      （修正有）【課題】非作業時に打撃杆による押圧材の打撃を規制でき、従って、いわゆる空打ちを防げ、空打ちによる損傷のおそれのない衝撃工具を提供する。【解決手段】主体筒１の先端側にばねの付勢に抗して後退する押圧材６を、後端側に押圧材６を打撃する打撃杆４をそれぞれ進退自在に嵌挿して組付ける。そして、押圧材６と主体筒１との間には、押圧材６を打撃杆４から隙間を存して離開させるばね１３を添設する。【選択図】図１
0003129062.tif 000002
【実用新案登録請求の範囲】
【請求項１】
主体筒の先端側にばねの付勢に抗して後退する押圧材を、後端側に前記押圧材を打撃する打撃杆を、それぞれ進退自在に嵌挿して組付けると共に、前記押圧材と前記主体筒との間には、前記押圧材を前記打撃杆から隙間を存して離開させる前記ばねを添設した、衝撃工具。
【考案の詳細な説明】
【技術分野】
【０００１】
この考案は、押圧材を打撃することによって該押圧材が被衝撃体を押圧して所定の打撃効果を与える衝撃工具に関するものである。
【背景技術】
【０００２】
主体杆に該主体杆を貫通させるようにして打撃材を移動自在に組付け、該打撃材が衝接する受圧材を前記主体杆の先端に設け、受圧材の先端には所定の作業形状を施して成り、主体杆に沿わせて打撃材を移動させることによって受圧材に衝接せしめ、該受圧材の先端が被作業体にその形状に従った作用を与えるようにした構造のものがある（例えば、特許文献１）。
【０００３】
【特許文献１】実用新案登録第３０５１６９９号公報
【考案の開示】
【考案が解決しようとする課題】
【０００４】
前記従来構造のものは、打撃材が外部に露出した構造を採るため、打撃材による受圧材すなわち被衝撃体に対する打撃作業時に充分な空間を確保しないで（目測の誤りにより）、打撃材を周辺の物に衝接させるおそれが、何よりも手先を利用した打撃材の主体杆に沿う移動操作を必要とするから作業空間を必要とする。また、従来例は、打撃材を重さを利用して重圧材に打撃を与えるものであるから、打撃材を下から上へと移動させることが難しく、上から下へと移動させる必要があるので、使用の方向性が限定され、適用上の不便さがある。
【０００５】
本考案は、従来例の斯様な欠点に着目し、使用勝手の良好な衝撃工具を提供することを目的として創案したものである。
【課題を解決するための手段】
【０００６】
主体筒の先端側にばねの付勢に抗して後退する押圧材を、後端側に前記押圧材を打撃する打撃杆をそれぞれ進退自在に嵌挿して組付けると共に、前記押圧材と前記主体筒との間には、前記押圧材を前記打撃杆から隙間を存して離開させる前記ばねを添設した、構成としたことを基本的手段とする。
【考案の効果】
【０００７】
本考案によれば、主体筒に嵌挿した打撃杆に押圧材を打撃（叩打）することによって押圧材は前進して被押圧体に所定の打撃効果を与えられることは勿論、ばねの作用によって押圧材は被押圧体に常時圧接させることができるから当該作業を効率的に行うことができる。
【０００８】
また、主体筒内に打撃杆を嵌挿した構成を採るものであるから主体筒の配置空間さえあれば所定の作業を不都合なく行うことができる。
【０００９】
さらには、ばねによって押圧材と打撃杆との間に隙間を生じさせたものであるから、非作業時に打撃杆による押圧材の打撃を規制をでき、従って、所謂空打ちを防止でき、空打ちによる損傷を防ぐことのできる工具を提供できる。
【実施例】
【００１０】
図面は、本考案に係る衝撃工具の一実施例を示し、図１は使用時の状態を示す断面図、図２は不使用時の状態を示す断面図である。
【００１１】
図中、１は主体筒で、主体筒１は先端部に設けた雄ねじ２を利用してアタッチ材３を着脱自在に取付け、後端側から嵌挿した打撃杆４を保持し、該打撃杆４の進退操作時の案内筒となるものである。
【００１２】
前記アタッチ材３は、支筒５と押圧材６を互いに組付けて構成し、支筒５は内腔部の先後方向の中間部に段部７を設けて後端側の一半を大径部３ａと成し、該大径部３ａの前記後端側に雌ねじ８を設けて成るものである。
【００１３】
前記押圧材６は、円中体で成る押圧片６ａの後端に、押圧片６ａより細い小径円柱体で成る組付片６ｂを前記押圧片６ａと同軸上に連設し（押圧片６ａの形態は実施例のものに限定する必要はない）、自由端側の中間部に段部１１を設けて自由端側を小径にした組付片６ｂの小径部６ｂ´より外れた中間部には、先後方向に長い長孔９を設けて構成したもので、組付片６ｂを前記支筒５に先端側から嵌挿し、前記長孔９を通じて支筒５の前記内腔部の先端側部を横切って支筒５に架設した支持ピン１０によって支筒５と互いに組付け、前記アタッチ材３を構成させてある。
【００１４】
そして、アタッチ材３の支筒５の後端側の内径の大径を利用して構成される、支筒５と押圧材６とで構成される間隙に、支筒５の後端側から移動リング１２とコイルばね１３を前記小径部６ｂ´を取り囲むようにして順次収嵌せしめ、支筒５に設けた雌ねじ８と主体筒１側の雄ねじ８を互いに螺合して、主体筒１にアタッチ材３を取付け、主体筒１の先端に押圧材６を進退自在（支持ピン１０に案内される長孔９の長さの範囲内で主体筒１より常時突出して進退する）に装置してある。
【００１５】
主体筒１とアタッチ材３の組付け状態にあって前記コイルばね１３は、主体筒１の先端と移動リング１２を介する押圧材６（の段部１１）間に縮設され、移動リング１２を介して押圧材６を前進方向すなわち、押圧材６が主体筒１より離開する方向に付勢し、その付勢は移動リング１２が支筒５側の段部７に係止することにより規制され、押圧材６は、この規制とは無関係に支持ピン１０を貫通させた長孔９の先後の長さの範囲内で支筒５（主体筒１側）より突出する、そして、押圧材６を押圧片６ａ側から外力を与えて後退すなわち主体筒１方向に移動させると、段部７に係止していた移動リング１２に該移動リング１２の内径より径の大きい、押圧材６（組付片６ｂ）側の段部１１が移動リング１２に接し、コイルばね１３の付勢に抗して該移動リング１２を押圧することとなり、その押圧は押圧材６の押圧片６ａが支筒５に接して規制される。
【００１６】
要するに、主体筒１の先端と移動リング１２との間に介在させたコイルばね１３の付勢によって移動リング１２はコイルばね１３に押圧されて段部１１において押圧材６を押圧する一方、その押圧は支筒５側の段部７に係止することによって規制されることになり、コイルばね１３に外力を与えない（コイルばね１３を押圧しない）限り、コイルばね１３の付勢力によって押圧材６の自由端は一定位置以上支筒５内に入らないようにしてある。
【００１７】
前記打撃杆４は、移動リングがコイルばね１３の付勢によって段部７に係止した状態における押圧材６（組付片の小径部６ｂ´）の自由端と間隙ａを存して先端が位置するように主体筒１に前記の通り、後端側から嵌挿してある。
【００１８】
なお、打撃杆４の把手４ｂはそのねじ穴に杆主体４ａ側の螺杆部を螺合して着脱自在にしてある。また、打撃杆４は、杆主体４ａにばねリング１５を備え、該ばねリング１５を主体筒１に係合するようにして主体筒１に嵌挿し、主体筒１の後端部（基部）に設けた抜け止め材１７に前記リング１５が係止して主体筒１より離脱しないようにしてある。
【００１９】
しかして、押圧材６の押圧片６ａを被押圧（打撃）物Ｌに当てて主体筒１を被押圧物Ｌ方向に押圧すると、主体筒１の先端はコイルばね１３を押圧することになり、コイルばね１３はその弾性によって移動リング１２を押圧し、移動リング１２は被押圧物Ｌによって前進を規制された押圧材６の段部７に係止してその移動が規制される。そして、主体筒１の押圧作業を継続すると、主体筒１と一体にしたアタッチ材３の支筒５の先端は不動状態にある押圧材６方向に移動して押圧片６ａに接触し、その移動分、主体筒１の先端は押圧材６（の組付片６ｂ）に対して接近し、主体筒１に嵌挿した打撃杆４と押圧材６との間の間隙ａは支筒５を含んだ主体筒１の前記移動に吸収（解消）され、その結果、打撃杆４の先端は押圧材６に接触する位置に装置的に配置されることになる。従って、この状態で、把手部を摘んで打撃杆４を主体筒１で往復させると、往路において打撃杆４は押圧材６を打撃、押圧し、その結果、押圧材６は被押圧物Ｌを押圧して、被押圧物Ｌに対する所定の作業が行われるのである。
【００２０】
主体筒１の被押圧物Ｌ方向への押付け操作を中止すると、コイルばね１３の付勢によって押圧材６は支筒３乃至主体筒４に対して原位置に復帰し、前記の間隙ａが形成され、打撃杆４の押圧材６に対する接触が規制され、接触による空打ちは防止される。
【図面の簡単な説明】
【００２１】
【図１】使用時の状態を示す断面図。
【図２】不使用時の状態を示す断面図。
【符号の説明】
【００２２】
１      主体筒
４      打撃杆
６      押圧材
１３    ばね
ａ      隙間
【図１】
0003129062.tif 000003
【図２】
0003129062.tif 000004